【事件の表示】
　平成１１年特許願第３３２３４７号「弾球遊技機」拒絶査定不服審判事件〔平成１３年　５月２９日出願公開、特開２００１−１４５７３７〕について、次のとおり審決する。
【結　論】
　本件審判の請求は、成り立たない。
【理　由】
１．手続の経緯
　本願は、平成１１年１１月２４日の出願であって、平成１６年３月２６日付けで拒絶査定がなされ、これに対し、同年４月２８日に拒絶査定に対する審判請求がなされるとともに、同年５月１９日付けで手続補正がなされたものである。
　
２．平成１６年５月１９日付けの手続補正についての補正却下の決定
［補正却下の決定の結論］
　平成１６年５月１９日付けの手続補正（以下、「本件補正」という。）を却下する。
［理由］
(1)補正後の本願発明
　本件補正により、特許請求の範囲の請求項１は、次のとおりに補正された。
「複数個の抽選用図柄表示部(20a)(20b)(20c)を有する図柄表示手段(19)と、図柄始動手段(13)が遊技球を検出することを条件に前記各抽選用図柄表示部(20a)(20b)(20c)に複数種類の抽選用図柄(22a)(22b)(22c)を選択的に停止表示させる図柄制御手段(35)と、前記各抽選用図柄表示部(20a)(20b)(20c)に停止表示された前記抽選用図柄(22a)(22b)(22c)が予め定められた特定図柄の組み合わせとなったときに、遊技者に有利な特別遊技状態を発生させる特別遊技状態発生手段(39)とを備えた弾球遊技機において、前記図柄表示手段(19)は、前記各抽選用図柄表示部(20a)(20b)(20c)と、該各抽選用図柄表示部(20a)(20b)(20c)に共通の選択用図柄表示部(21)とを備え、前記図柄制御手段(35)は、前記各抽選用図柄表示部(20a)(20b)(20c)の前記抽選用図柄(22a)(22b)(22c)に共通の複数個の選択用図柄(23)を前記選択用図柄表示部(21)に一列状に表示させる機能
と、前記各抽選用図柄表示部(20a)(20b)(20c)の抽選用図柄(22a)(22b)(22c)とすべき図柄を指示するための選択指示部(24)を前記選択用図柄表示部(21)に表示させる機能と、前記図柄始動手段(13)が遊技球を検出することを条件にパターン決定用乱数により決定されたパターンで前記選択指示部(24)を
させ、
停止図柄決定用乱数により決定された１個の
前記選択指示部(24)を
させることにより、前記各抽選用図柄表示部(20a)(20b)(20c)の前記抽選用図柄(22a)(22b)(22c)として表示すべき図柄を順次指示する機能と、
　
　上記補正は、本願の請求項１に係る発明を限定するものであって、特許法第１７条の２第４項第２号に掲げる特許請求の範囲の減縮を目的とする。
　そこで、本件補正後の前記請求項１に記載された発明（以下、「本願補正発明」という。）が特許出願の際独立して特許を受けることができるものであるかについて以下検討する。
　
(2)刊行物及びその記載内容
　刊行物：特開平１１−１９３００号公報
　
　原査定の拒絶の理由に引用され本願出願前に頒布された上記刊行物には、図面とともに、次のことが記載されている。
「【０００１】【発明の属する技術分野】本発明は、パチンコ機に係り、特に、表示画面中の表示領域に複数の図柄を変動表示し、その図柄の中から停止図柄として当り図柄を明示したときのみ特別遊技を実行するパチンコ機に関する。」、
「【０００８】・・・本発明では、遊技者に順列を変更しても変更後の順列中に当り図柄が含まれていないという疑念を抱かせることのない、趣向性に富んだパチンコ機を提供することを目的とする。」、
「【０００９】【課題を解決するための手段及び発明の効果】上記目的を達成するための請求項１記載のパチンコ機は、遊技域中に設けらた表示画面と、該表示画面中の一領域に図柄を表示する表示領域を設定し、該表示領域に表示する前記図柄を予め定められた順序に従って連続的に変更する変動表示を行った後、該変動表示を停止させて前記図柄の中から１つの停止図柄を明示する表示制御手段と、該表示制御手段を起動し、前記停止図柄として当り図柄が前記表示領域に明示された場合のみ、特別遊技を実行する特別遊技実行手段とを備えたパチンコ機において、前記表示制御手段は、前記表示領域内に一度に表示する前記図柄の数を増加する図柄数増加手段と、所定の条件により前記順列に代えて、前記順列の順を変更した差替順列を設定する図柄順列差替手段とを備えることを特徴とする・・・
【００１２】尚、図柄順列差替手段が差替順列を設定するための所定の条件は、例えば所謂リーチ状態あるいは変動表示を開始してから所定時間が経過した事を条件としてもよく、いかような条件でもよい。・・・」、
「【００１３】・・・請求項３記載のパチンコ機は、前記図柄順列差替手段に備えられた、前記特定図柄設定手段により、前記図柄のうち、特定の図柄を他の図柄に比べて多く前記差替順列に設定して、該差替順列に従って前記表示領域に表示する図柄を変動表示している。」、
「【００１７】【発明の実施の形態】［第１実施例］以下、図１〜１２を用いて、本発明の一実施例を示す。・・・
【００１９】遊技部３の液晶表示装置４の下方には、・・・始動入賞口２４ａ・・・が設けられている。・・・」、
「【００２１】・・・始動口２４ａにパチンコ玉が入賞すると、液晶画面５に表示された後述する各図柄表示窓５１〜５３で行われるスクロール表示後に停止図柄を明示し、その組合せが、予め定められた図柄の組み合せ（以下「当り図柄組合せ」という。）を明示した場合、特別遊技を実行する（以下「大当り状態」という。）。そして、大当り状態は、所定時間経過するかあるいは、変動入賞装置２５に所定個数のパチンコ球が入賞するまでアタッカー２６を開放し、パチンコ玉が変動入賞装置２５内に入り易い状態にする。・・・
【００２２】尚、アタッカー２６の両側にも始動入賞口２４ｂ、２４ｃ・・・が設置されており、始動口２４ａと同じ働きをする。」、
「【００２３】液晶表示装置４に設置した液晶画面５には、その画面中の上部に３つの第１図柄表示窓５１、第２図柄表示窓５２、第３図柄表示窓５３が表示される。・・・」、
「【００２５】ただし、第１図柄表示窓５１と第３図柄表示窓５３との停止図柄の組み合せが、当り図柄組合せを構成する可能性がある所謂リーチ状態である時、即ち、当り図柄組合せが、例えば「７」が３つの組合せであって、図３に示すように、第１図柄表示窓５１及び第３図柄表示窓５３に表示される図柄が両方とも「７」であるとき、液晶画面５上では第２図柄表示窓５２に代えて表示枠５４の表示を開始する。・・・
【００２６】表示枠５４で表示する画面は、その表示枠５４中に、後述する複数の図柄と、図柄を囲みこむことのできる大きさの枠５５を表示する。この枠５５は、後述するように、表示枠５４中に表示される複数の図柄をたどり、図柄１つ１つを枠の中に表示しながら移動するものである。そして、移動する枠５５を停止して停止図柄を明示した後、枠５５内に囲った停止図柄とともに、再び第２図柄表示窓５２を表示する。そして各図柄表示窓５１〜５３に当り図柄組合せを明示したとき大当り状態になるよう構成されている。」、
「【００２９】次に、ＣＰＵ１０２が実行する遊技処理について説明する。まず、図５は、遊技処理を表すフローチャートである。・・・
【００３０】Ｓ１１０にて少なくとも一方がなされることにより、始動入賞ありと判断された場合は、Ｓ１２０に進んで、乱数を出力させる。乱数は、ここではＣＰＵ１０２が具備するクロックに基づいて駆動される５つのループカウンタ（以下、単にカウンタともいう）の値から抽出される５個の数値である。・・・
【００３１】続いてＳ１３０に進み、Ｓ１２０にて出力された乱数に基づいて、各図柄表示窓５１〜５３に明示する停止図柄を設定する。」、
「【００３９】ただし、後述するように、中図柄処理Ｓ２３０は、リーチ状態のとき液晶画面上の表示枠５４に複数の図柄を表示して、その図柄の中から停止図柄を選択する後述の表示枠処理を行ったあとで、その停止図柄を第２図柄表示窓５２に表示する。」、
「【００４３】・・・次に、中図柄処理Ｓ２３０を、図８のフローチャートに基づいて説明する。・・・
【００４５】リーチ状態であれば、後述する表示枠処理Ｓ４４０にて、並列に表示した各図柄表示窓５１〜５３の下に第２図柄表示窓５２の窓枠を移動して拡大し、新たに表示枠５４とする表示がなされ、この表示枠５４内で第４カウンタの値に対応した停止図柄を後述する枠５５が明示する表示を行う。」、
「【００４８】次に、表示枠処理Ｓ４４０を図９のフローチャート，図１０及び図１１に基づいて説明する。・・・
【００４９】この表示枠処理Ｓ４４０が開始されると、図１０（ａ）に示す様に、Ｓ５１０にて第２図柄表示窓５２のスクロール表示をやめ、続くＳ５２０にて各図柄表示窓５１〜５３が並列に表示されている部分の下の部分に表示枠５４を表示する。そして、Ｓ５３０にて表示枠５４中に複数の図柄を表示し、この表示された図柄を下方から上方へ移動させる表示を行い、Ｓ５４０にて表示される図柄に沿って移動する枠５５を表示する。
【００５０】・・・そして、表示枠５４の表示を開始してから所定時間経過すると、表示枠５４内の図柄の流れは止まり、一方、枠５５は、停止した複数の図柄のうちの中図柄を囲んだ状態で停止するのである。
【００５１】次に、Ｓ５５０にて枠５５を停止したと判断されたら、Ｓ５６０に分岐し第２図柄表示窓５２を再び表示して、Ｓ５７０にて枠５５内に表示している中図柄を第２図柄表示窓５２内に表示し、表示枠処理Ｓ４４０を終了する。」、
「【００５７】また、本実施例では、表示枠５４での図柄の表示を予め定められた順列に従って行っているが、乱数発生手段が発生した乱数に応じて、変動表示する図柄の順番を様々に変更した差替順列を作成する順列作成手段を備え、この順列作成手段にて作成された差替順列を予め定められた順列に代えて用いるように構成してもよい。」。
　また、図１７、図１９、図２１及び図２２には、図柄を、拡大表示窓７５４に一列状に表示させていることが、第２実施例として記載されている。
　
　上記記載及び技術常識によれば、刊行物には、
「複数個の図柄表示窓５１〜５３を有する液晶表示装置４と、
　始動入賞口２４ａ〜２４ｃがパチンコ球を検出することを条件に前記各図柄表示窓５１〜５３に複数種類の図柄を選択的に停止表示させる表示制御手段と、
　前記各図柄表示窓５１〜５３に停止表示された前記図柄が予め定められた当り図柄の組み合わせとなったときに、遊技者に有利な大当り状態を発生させる変動入賞装置２５
とを備えたパチンコ機において、　
前記液晶表示装置４は、
　前記各図柄表示窓５１〜５３と、
　該各図柄表示窓５１〜５３に共通の表示枠５４とを備え、　
前記表示制御手段は、
　前記図柄表示窓５１〜５３に表示される前記図柄に共通の複数個の図柄を前記表示枠５４に表示させる機能と、
　前記図柄表示窓５２に表示される図柄を指示するための枠５５を前記表示枠５４に表示させる機能と、
　リーチ状態のときに、前記始動入賞口２４ａ〜２４ｃがパチンコ球を検出することを条件に乱数により決定された差替順列で前記枠５５を前記複数個の表示枠５４内に表示される図柄に対して相対的に移動させ、且つ移動中にカウンタの値により決定された表示枠５４内に表示される１個の前記図柄に対応する位置で前記枠５５を相対的に一時停止させることにより、前記図柄表示窓５２に表示される図柄を指示する機能と、
　前記枠５５により指示された表示枠５４内に表示される前記図柄をその表示位置から前記図柄表示窓５２へと移動させた後に、該図柄表示窓５２に表示される前記図柄として停止表示させる機能
とを備えたパチンコ機。」の発明（以下、「刊行物記載の発明」という。）が記載されていると認められる。
　
(3)対比
　そこで、本願補正発明と刊行物記載の発明とを対比すると、刊行物記載の発明の「図柄表示窓５１〜５３」は本願補正発明の「抽選用図柄表示部」に相当し、以下同様に、「液晶表示装置４」が「図柄表示手段」に、「パチンコ玉」が「遊技球」に、「始動入賞口２４ａ〜２４ｃ」が「図柄始動手段」に、「表示窓５１〜５３に表示される図柄」が「抽選用図柄」に、「表示制御手段」が「図柄制御手段」に、「当り図柄」が「特別図柄」に、「大当り状態」が「特別遊技状態」に、「変動入賞装置２５」が「特別遊技状態発生手段」に、「パチンコ機」が「弾球遊技機」に、「表示枠５４」が「選択用図柄表示部」に、「表示枠５４内に表示される図柄」が「選択用図柄」に、「枠５５」が「選択指示部」に、「差替順列」が「パターン」に「カウンタの値」が「停止図柄決定用乱数」に、それぞれ相当し、刊行物記載の発明は、乱数に従って差替順列（パターン）を設定するから、事実上、「パターン決定用乱数」を備えており、
両者は、
「複数個の抽選用図柄表示部を有する図柄表示手段と、
　図柄始動手段が遊技球を検出することを条件に前記各抽選用図柄表示部に複数種類の抽選用図柄を選択的に停止表示させる図柄制御手段と、
　前記各抽選用図柄表示部に停止表示された前記抽選用図柄が予め定められた特定図柄の組み合わせとなったときに、遊技者に有利な特別遊技状態を発生させる特別遊技状態発生手段
とを備えた弾球遊技機において、　
前記図柄表示手段は、
　前記各抽選用図柄表示部と、
　該各抽選用図柄表示部に共通の選択用図柄表示部とを備え、　
前記図柄制御手段は、
　前記各抽選用図柄表示部の前記抽選用図柄に共通の複数個の選択用図柄を前記選択用図柄表示部に表示させる機能と、
　前記抽選用図柄表示部の抽選用図柄とすべき図柄を指示するための選択指示部を前記選択用図柄表示部に表示させる機能と、
　前記図柄始動手段が遊技球を検出することを条件にパターン決定用乱数により決定されたパターンで前記選択指示部を前記複数個の選択用図柄に対して相対的に移動させ、且つ移動中に停止図柄決定用乱数により決定された１個の前記選択用図柄に対応する位置で前記選択指示部を相対的に一時停止させることにより、前記抽選用図柄表示部の前記抽選用図柄として表示すべき図柄を指示する機能と、
　前記選択指示部により指示された前記選択用図柄をその表示位置から前記抽選用図柄表示部へと移動させた後に、該抽選用図柄表示部に前記抽選用図柄として停止表示させる機能
とを備えた弾球遊技機。」である点で一致し、次の各点で相違する。
（相違点１）
　選択用図柄を選択用図柄表示部に表示させるのに、本願補正発明が一列状に表示させるのに対し、上記刊行物記載の発明は一列状との限定はない点。
（相違点２）
　１個の前記選択用図柄に対応する位置で前記選択指示部を相対的に一時停止させることにより、前記抽選用図柄表示部の前記抽選用図柄として表示すべき図柄を指示するのに、本願補正発明が、
各
順次
（相違点３）
　選択用図柄をその表示位置から前記抽選用図柄表示部へと移動させるのに、本願補正発明が動画的に移動させるのに対し、上記刊行物記載の発明は動画的との限定はない点。
　
(4)判断
　上記相違点１について検討すると、弾球遊技機において、選択用図柄を選択用図柄表示部に一列状に表示させることは、特開平５−２７７２４２号公報（図１の識別情報１２０参照）及び特開平９−３１３６８２号公報（図１１（a）（b）の変動表示窓部６０参照）等に記載されているように周知であるから、刊行物記載の発明において、本願補正発明のように、選択用図柄を選択用表示部に一列状に表示させることは、当業者であれば容易に想到できるものである。
　
　上記相違点２について検討すると、リーチ状態のときに、１つの抽選用図柄表示部の抽選用図柄（刊行物記載の発明の「図柄表示窓５２に表示される図柄」が相当。）として表示すべき図柄を指示する処理が上記刊行物に記載されている以上、該処理を他の抽選用図柄表示部にも適用して、本願補正発明のように、選択指示部を一時停止させることにより、
各
順次
　
　上記相違点３について検討すると、弾球遊技機において、選択用図柄をその表示位置から前記抽選用図柄表示部へと動画的に移動させることは、特開平５−２７７２４２号公報（段落００３３，図１）及び特開平９−３１３６８２号公報（段落０１５７，図１１）等に記載されているように周知であるから、刊行物記載の発明において、本願補正発明のように、選択用図柄をその表示位置から前記抽選用図柄表示部へと動画的に移動させるようにすることは、当業者であれば容易に想到できるものである。
　
　そして、上記相違点の本願補正発明に係る構成により格別の作用効果を奏するとは認められない。
　よって、本願補正発明は、刊行物記載の発明及び周知技術に基いて当業者が容易に発明をすることができたものであるから、特許法第２９条第２項の規定により特許出願の際独立して特許を受けることができないものである。
　
(5)むすび
　以上のとおり、本件補正は、特許法第１７条の２第５項において準用する同法第１２６条第５項の規定に違反するものであり、特許法第１５９条第１項において読み替えて準用する特許法第５３条第１項の規定により却下されるべきものである。
　
３．本願発明について
　平成１６年５月１９日付けの手続補正は上記のとおり却下されたので、本願の請求項１に係る発明（以下、本願発明という。）は、平成１５年９月２５日付け手続補正書の特許請求の範囲の請求項１に記載された事項により特定される、以下のとおりのものである。　　
「複数個の抽選用図柄表示部(20a)(20b)(20c)を有する図柄表示手段(19)と、図柄始動手段(13)が遊技球を検出することを条件に前記各抽選用図柄表示部(20a)(20b)(20c)に複数種類の抽選用図柄(22a)(22b)(22c)を選択的に停止表示させる図柄制御手段(35)と、前記各抽選用図柄表示部(20a)(20b)(20c)に停止表示された前記抽選用図柄(22a)(22b)(22c)が予め定められた特定図柄の組み合わせとなったときに、遊技者に有利な特別遊技状態を発生させる特別遊技状態発生手段(39)とを備えた弾球遊技機において、前記図柄表示手段(19)は、前記各抽選用図柄表示部(20a)(20b)(20c)と、該各抽選用図柄表示部(20a)(20b)(20c)に共通の選択用図柄表示部(21)とを備え、前記図柄制御手段(35)は、前記各抽選用図柄表示部(20a)(20b)(20c)の前記抽選用図柄(22a)(22b)(22c)に共通の複数個の選択用図柄(23)を前記選択用図柄表示部(21)に一列状に表示させる機能と、一列状の前記複数個の選択用図柄(23)に対して相対的に移動し、且つ移動中に何れかの選択用図柄(23)に対応する位置で相対的に一時停止して、前記各抽選用図柄表示部(20a)(20b)(20c)の抽選用図柄(22a)(22b)(22c)として選択すべき図柄を順次指示するための選択指示部(24)を前記選択用図柄表示部(21)に表示させる機能と、前記選択指示部(24)により指示された前記選択用図柄(23)をその表示位置から前記各抽選用図柄表示部(20a)(20b)(20c)へと動画的に移動させた後に、該各抽選用図柄表示部(20a)(20b)(20c)に前記抽選用図柄(22a)(22b)(22c) として停止表示させる機能とを備えたことを特徴とする弾球遊技機。」
　
(1)刊行物の記載内容
　原査定に引用され本願出願前に頒布された刊行物、及び、その記載内容は、前記「２．(2)」に記載したとおりである。
　
(2)対比・判断
　本願発明は、前記「２．」で検討した本願補正発明を上位概念化したものである。
　そうすると、本願発明の構成要件を全て含み、さらに他の構成要件を付加したものに相当する本願補正発明が、前記「２．(4)」に記載したとおり、刊行物記載の発明及び周知技術に基いて当業者が容易に発明をすることができたものであるから、本願発明も、同様の理由により、刊行物記載の発明及び周知技術に基いて当業者が容易に発明をすることができたものである。
　
(3)むすび
　以上のとおり、本願発明は、刊行物記載の発明及び周知技術に基いて当業者が容易に発明をすることができたものであり、特許法第２９条第２項の規定により特許を受けることができないから、本願の他の請求項に係る発明を検討するまでもなく、本願は拒絶をすべきものである。
　よって、結論のとおり審決する。